(57)【要約】  利用者の様々なニーズに応えることが可能なワイヤハーネスを提供することを課題とする。本発明のワイヤハーネスは、導体の表面に絶縁層が被覆されている複数の絶縁電線が封止されているワイヤハーネスであって、前記絶縁電線は、前記絶縁層が被覆されておらず前記導体が露出している露出部を有し、少なくとも前記露出部は、射出成形物により封止されていることを特徴とする。
2017199699.tif 000002
【特許請求の範囲】
【請求項１】
導体の表面に絶縁層が被覆されている複数の絶縁電線が封止されているワイヤハーネスであって、
前記絶縁電線は、前記絶縁層が被覆されておらず前記導体が露出している露出部を有し、
少なくとも前記露出部は、射出成形物により封止されていることを特徴とするワイヤハーネス。
【請求項２】
前記露出部は、互いに接合している請求項１に記載のワイヤハーネス。
【請求項３】
前記射出成形物の軸方向の一端部であって前記露出部の反対側には、前記複数の絶縁電線が存在しており、
前記一端部から前記射出成形物の軸方向長さの１／３離れた位置（以下、１／３位置という）よりも他端部側に前記露出部が存在する請求項１または２に記載のワイヤハーネス。
【請求項４】
前記一端部における前記軸方向に垂直な第１の断面での前記複数の絶縁電線の最外接線は、
前記１／３位置における前記軸方向に垂直な第２の断面での前記複数の絶縁電線の最外接線よりも短い請求項３に記載のワイヤハーネス。
【請求項５】
前記第１の断面における前記絶縁電線の形状は扁平状である請求項４に記載のワイヤハーネス。
【請求項６】
前記第１の断面における前記複数の絶縁電線の合計面積率は２０面積％以上、９０面積％以下である請求項４または５に記載のワイヤハーネス。
【請求項７】
前記複数の絶縁電線のうち一部の絶縁電線は、
前記軸方向に前記他端部から突出している請求項３〜６のいずれかに記載のワイヤハーネス。
【発明の詳細な説明】
【技術分野】
【０００１】
本発明は、複数の絶縁電線が射出成形物により封止されているワイヤハーネスに関する。
【背景技術】
【０００２】
従来、バイクや自動車等の車両には、複数の絶縁電線を部分的に一括して、収容しやすくしたワイヤハーネスが設置されている。絶縁電線束を一括するために、絶縁電線の絶縁層を部分的に剥いで導体を露出させて、この露出部を溶接、圧着等により接合する場合がある。この場合、露出部から浸水したり漏電したりする問題があった。このような問題を解決するために露出部を樹脂で封止する技術が知られている。【０００３】
例えば、特許文献１には、絶縁電線の露出部を光硬化樹脂によって封止したワイヤハーネスが開示されている。
【先行技術文献】
【特許文献】
【０００４】
【特許文献１】特開２０１１−１１３６９２号公報
【発明の概要】
【発明が解決しようとする課題】
【０００５】
近年、ワイヤハーネスの封止部分に対する利用者のニーズが多様化している。【０００６】
本発明は上記事情に鑑みてなされたものであり、その目的は、利用者の様々なニーズに応えることが可能なワイヤハーネスを提供することにある。
【課題を解決するための手段】
【０００７】
本発明者らは、前記課題を解決するために鋭意研究を重ねた。その結果、導体の表面に絶縁層が被覆されている複数の絶縁電線が封止されているワイヤハーネスであって、前記絶縁電線は、前記絶縁層が被覆されておらず前記導体が露出している露出部を有し、少なくとも前記露出部は、射出成形物により封止されていることで、様々な場所に収容し易いワイヤハーネスを得ることができることを見出し、本発明を完成した。【０００８】
本発明の構成は以下のとおりである。
項１．導体の表面に絶縁層が被覆されている複数の絶縁電線が封止されているワイヤハーネスであって、
前記絶縁電線は、前記絶縁層が被覆されておらず前記導体が露出している露出部を有し、
少なくとも前記露出部は、射出成形物により封止されていることを特徴とするワイヤハーネス。
項２．前記露出部は、互いに接合している項１に記載のワイヤハーネス。
項３．前記射出成形物の軸方向の一端部であって前記露出部の反対側には、前記複数の絶縁電線が存在しており、
前記一端部から前記射出成形物の軸方向長さの１／３離れた位置（以下、１／３位置という）よりも他端部側に前記露出部が存在する項１または２に記載のワイヤハーネス。
項４．前記一端部における前記軸方向に垂直な第１の断面での前記複数の絶縁電線の最外接線は、
前記１／３位置における前記軸方向に垂直な第２の断面での前記複数の絶縁電線の最外接線よりも短い項３に記載のワイヤハーネス。
項５．前記第１の断面における前記絶縁電線の形状は扁平状である項４に記載のワイヤハーネス。
項６．前記第１の断面における前記複数の絶縁電線の合計面積率は２０面積％以上、９０面積％以下である項４または５に記載のワイヤハーネス。
項７．前記複数の絶縁電線のうち一部の絶縁電線は、
前記軸方向に前記他端部から突出している項３〜６のいずれかに記載のワイヤハーネス。
【発明の効果】
【０００９】
本発明によれば、上記構成により、様々な場所に収容し易いワイヤハーネスを得ることができる。
【図面の簡単な説明】
【００１０】
【図１】図１（ａ）は、第１の実施形態におけるワイヤハーネスの射出成形物およびその周辺部の側面図である。図１（ｂ）は、図１（ａ）の射出成形物内を透視した図である。
【図２】図２（ａ）は、図１（ａ）に示した射出成形物のＸ−Ｘ断面図である。図２（ｂ）は、図１（ａ）に示した射出成形物のＹ−Ｙ断面図である。
【図３】図３（ａ）は、第２の実施形態におけるワイヤハーネスの射出成形物およびその周辺部の側面図である。図３（ｂ）は、図３（ａ）の射出成形物内を透視した図である。
【図４】図４は、射出成形の概略説明図である。
【図５】図５（ａ）は、射出成形に用いる入れ駒内部の断面図である。図５（ｂ）は、射出成形に用いる金型内部の断面図である。
【発明を実施するための形態】
【００１１】
本発明のワイヤハーネスは、導体の表面に絶縁層が被覆されている複数の絶縁電線が封止されているワイヤハーネスであって、上記絶縁電線は、上記絶縁層が被覆されておらず上記導体が露出している露出部を有し、少なくとも上記露出部は、射出成形物により封止されているものである。
【００１２】
以下、本発明のワイヤハーネスについて図面を参照しつつ説明する。
【００１３】
（第１の実施形態）
図１（ａ）は、第１の実施形態におけるワイヤハーネスの射出成形物およびその周辺部の側面図である。図１（ａ）に示すように、複数の絶縁電線１は、射出成形物４によって封止されている。
【００１４】
図１（ｂ）は、図１（ａ）の射出成形物内を透視した図である。図１（ｂ）中、二点鎖線は射出成形物４が存在する部分を示す。図１（ｂ）に示すように、絶縁電線１は導体２の表面に絶縁層３が被覆されているものであるが、絶縁電線１の先端部には、絶縁層３が被覆されておらず導体２が露出している露出部５が存在している。露出部５は射出成形物４によって封止されている。露出部５は互いに接合している。
【００１５】
本発明では、少なくとも露出部５が射出成形物４によって封止されていればよく、これにより浸水や漏電を防止し易くすることができる。浸水や漏電防止の観点より、図１（ｂ）に示すように、露出部５と共に、絶縁電線１の露出部５と隣接する部分についても、射出成形物４によって封止されていることが好ましい。
【００１６】
射出成形物４の形状は、第１の実施形態では円柱形である。射出成形物４は、樹脂を射出成形して得られるものであるため、その形状は様々であり、円柱の他、楕円柱、立方体、直方体等の形状が挙げられる。このように射出成形物４の形状は様々であるため、様々な場所に収容することができる。
【００１７】
射出成形物４の素材は、特に限定されないが、絶縁層３、露出部５との接着性を考慮すると、ポリオレフィン、ポリアミド、ポリエステル等の樹脂が好ましい。そのうちポリエステル樹脂がより好ましい。市販品としてバイロショット（登録商標、東洋紡株式会社製）が挙げられる。バイロショットは、低圧でも射出することができるため、射出成形時の絶縁電線１の損傷を抑制し易くすることができる。そのためにバイロショットが更に好ましい。バイロショットとして、例えばバイロショット（登録商標）ＧＭ−９５５シリーズ、ＧＭ−９６０シリーズ等が挙げられる。
【００１８】
本発明において、射出成形物４の特性を損なわない範囲で、従来の各種添加剤を添加することができる。添加剤として、シリカ、タルク等の充填剤；酸化アンチモン、水酸化アルミ、水酸化マグネシウム等の難燃剤；フタル酸エステル、アジピン酸エステル等の可塑剤；ポリエチレンワックス、シリコーンオイル等の離型剤；カルボジイミド等の加水分解抑制剤等が挙げられる。これらの添加剤は、その一種のみを単独で用いてもよく、二種以上を組み合わせて用いてもよい。添加剤の含有量は、射出成形物４の素材として用いられる樹脂１００質量部に対して、おおよそ０．１質量部以上、５０質量部以下であることが好ましい。添加剤の含有量は、より好ましくは１質量部以上、３０質量部以下、更に好ましくは５質量部以上、２０質量部以下である。
【００１９】
露出部５は、必ずしも互いに接合している必要はないが、接合している方が露出部５を封止し易くなる。そのために、露出部５どうし互いに接合していることが好ましい。接合方法は、公知の方法である溶接、圧着等を行えば良い。
【００２０】
露出部５は、必ずしも絶縁電線１の先端に存在する必要はないが、露出部５の接合のし易さの観点より、露出部５は絶縁電線１の先端に存在することが好ましい。
【００２１】
絶縁電線１は、バイク等に用いられる一般的な絶縁電線である。導体２の素材は、銅、銅合金、アルミニウム、銀、またはこれらを金メッキ、錫メッキしたもの等が挙げられる。絶縁層３の素材は、ポリ塩化ビニル、ポリエチレン、ポリプロピレン等の樹脂が挙げられる。
【００２２】
図１（ａ）、（ｂ）中、破線矢印は、射出成形物４の軸方向を示す。
【００２３】
図１（ｂ）に示すとおり、射出成形物４の軸方向の一端部Ａは、露出部５の反対側に位置し、一端部Ａには複数の絶縁電線１が存在している。射出成形物４の一端部Ａから、射出成形物４の軸方向長さ（破線矢印の長さ）の１／３離れた１／３位置（以下では、位置Ｃと呼ぶ）よりも他端部Ｂ側に露出部５が存在している。
【００２４】
射出成形物４の一端部Ａは、複数の絶縁電線１が陥入している部分であるため、経年劣化等による隙間が生じ易い。この隙間から浸水した場合、露出部５が一端部Ａに近すぎると、露出部５をつたって絶縁電線１の内部まで浸水するおそれがあるが、露出部５を一端部Ａから離れた位置に存在させることにより、浸水を防止し易くすることができる。そのために露出部５は、軸方向に位置Ｃよりも他端部Ｂ側に存在することが好ましい。更に露出部５は、一端部Ａから、射出成形物４の軸方向長さの１／２離れた１／２位置よりも他端部Ｂ側に存在することがより好ましい。
【００２５】
一方、露出部５が他端部Ｂに近すぎると、他端部Ｂが損傷した場合、露出部５が外部に露出するおそれがある。そのために露出部５は、他端部Ｂから、射出成形物４の軸方向長さの１／２０離れた位置よりも一端部Ａ側に存在することが好ましい。
【００２６】
射出成形物４の軸方向長さは、特に限定されないが、おおよそ１〜２０ｃｍである。
【００２７】
図２（ａ）は、図１（ａ）の一端部Ａにおける軸方向に垂直なＸ−Ｘ断面図である。図２（ｂ）は、図１（ａ）の位置Ｃにおける軸方向に垂直なＹ−Ｙ断面図である。以下では、Ｘ−Ｘ断面を単に第１の断面と呼ぶ場合がある。また、Ｙ−Ｙ断面を単に第２の断面と呼ぶ場合がある。
【００２８】
図２（ａ）、（ｂ）中、破線は各断面における複数の絶縁電線１の最外接線を示す。図２（ａ）における複数の絶縁電線１の最外接線は、図２（ｂ）における複数の絶縁電線１の最外接線よりも短くなっている。これは、図１（ａ）の一端部Ａの方が位置Ｃよりも、絶縁電線１が密に束ねられていることを意味する。このように一端部Ａの絶縁電線１が密に束ねられていることにより、射出成形における一端部Ａからの樹脂漏れを少なくすることができる。樹脂漏れとは、射出成形時に樹脂が所望の形状に収まらずに絶縁電線１をつたってそのまま固化して外観性状を損なうことである。
【００２９】
本発明における最外接線とは、射出成形物４の軸方向に垂直な断面において、複数の絶縁電線１を囲むようにして複数の絶縁電線１と外接する接線であって、最短のものを意味する。
【００３０】
更に、一端部Ａの絶縁電線１が密に束ねられていることにより、射出成形時に必要な射出圧力をかけ易くなるため、樹脂が充填され易くなり、その結果、射出成形物４の気密性が高くなる。なお、図２（ａ）では、絶縁電線１どうし互いに接触しているが、接触しない絶縁電線１が含まれていても良い。
【００３１】
一方、位置Ｃ側では、各絶縁電線１の間隙が広がっているため、内部まで樹脂が入りこみ易くなり、射出成形物４の気密性が高くなる。なお、図２（ｂ）では、各絶縁電線１は接触していないが、気密性を損なわない程度であれば、部分的に接触していても良い。
【００３２】
このような樹脂漏れの低減および気密性向上の観点より、第１の断面における複数の絶縁電線１の最外接線は、第２の断面における複数の絶縁電線１の最外接線よりも短い方が好ましい。
【００３３】
また、図示していないが、第１の断面における絶縁電線１の形状は、扁平状であることが好ましい。扁平状であることにより、各絶縁電線１の接触点が増えるため、一端部Ａにおいて複数の絶縁電線１を密に束ねられた状態になり易くなる。
【００３４】
絶縁電線１の扁平率は、絶縁電線１の長径／絶縁電線１の短径により規定される。絶縁電線１の扁平率は、好ましくは１．１以上、４以下である。扁平率が１．１以上であることにより上記扁平状の効果が得られ易くなる。扁平率は、より好ましくは１．２以上、更に好ましくは１．３以上である。一方、扁平率が４以下であることにより、導体２が断線しにくくなる。扁平率は、より好ましくは３以下、更に好ましくは２以下である。
【００３５】
第１の断面における複数の絶縁電線１の合計面積率は、好ましくは２０面積％以上、９０面積％以下である。合計面積率が２０面積％以上であることにより、射出成形物４に用いる樹脂量を少なくすることができ、コストを低減することができる。合計面積率は、より好ましくは３０面積％以上、更に好ましくは４０面積％以上である。一方、合計面積率が９０面積％以下であることにより、射出成形物４が損傷しても、導体２が外部に露出しにくくなる。合計面積率は、より好ましくは８０面積％以下、更に好ましくは７０面積％以下である。
【００３６】
第１の断面における複数の絶縁電線１の最外接線で囲まれた領域（以下、第１の最外接線領域と呼ぶ）に対する複数の絶縁電線１の合計面積率は、好ましくは７０面積％以上、１００面積％未満である。第１の最外接線領域に対する合計面積率が７０面積％以上であることにより、樹脂漏れが低減され易くなる。合計面積率は、より好ましくは８０面積％以上、更に好ましくは９０面積％以上である。一方、第１の最外接線領域に対する合計面積率が１００面積％未満であることにより、導体２が断線しにくくなる。合計面積率は、より好ましくは９８面積％以下、更に好ましくは９５面積％以下である。
【００３７】
第２の断面における複数の絶縁電線１の好ましい合計面積率は、第１の断面における複数の絶縁電線１の好ましい合計面積率と同じである。
【００３８】
第２の断面における複数の絶縁電線１の最外接線で囲まれた領域（以下、第２の最外接線領域と呼ぶ）に対する複数の絶縁電線１の合計面積率は、好ましくは６０面積％以上、９５面積％以下である。第２の最外接線領域に対する合計面積率が６０面積％以上であることにより、一端部Ａにおける複数の絶縁電線１が密に束ねられた状態になり易くなる。より好ましくは６５面積％以上、更に好ましくは７０面積％以上である。一方、第２の最外接線領域に対する合計面積率が９５面積％以下であることにより、樹脂が充填され易くなり、射出成形物４の気密性が高くなる。より好ましくは９０面積％以下、更に好ましくは８０面積％以下である。
【００３９】
図２（ａ）、（ｂ）に示すとおり、第１の実施形態では、複数の絶縁電線１は、それぞれ同じ径であるが、それぞれ異なる径のものを用いても良い。
【００４０】
絶縁電線１の径は、特に限定されないが、おおよそ０．３〜１０ｍｍである。
【００４１】
射出成形物４の径は、特に限定されないが、おおよそ２〜１００ｍｍである。
【００４２】
（第２の実施形態）
図３（ａ）は、第２の実施形態におけるワイヤハーネスの射出成形物およびその周辺部の側面図である。図３（ｂ）は、図３（ａ）の射出成形物内を透視した図である。なお、第１の実施形態のワイヤハーネス１０と同様の構成要素には同一番号を記し、その説明を省略する。
【００４３】
図３（ａ）に示すように、複数の絶縁電線１は、射出成形物４によって封止されている。複数の絶縁電線１のうち一部の絶縁電線１は、射出成形物４の他端部Ｂから突出している。
【００４４】
本発明では、露出部５が射出成形物４により封止されていればよく、一部の絶縁電線１を射出成形物４から突出させることもできる。これにより、本発明のワイヤハーネス１０は、様々な用途に使用し易いものになる。
【００４５】
なお、図３（ｂ）に示すように、本発明では、射出成形物４内において、必ずしも全ての絶縁電線１に露出部５が存在する必要はなく、一部の絶縁電線１に露出部５が存在する態様であっても良い。
【００４６】
次に、ワイヤハーネス１０の製造方法について、図４、５を参照しつつ説明する。
【００４７】
図４は、射出成形の概略説明図である。図５（ａ）は、入れ駒内部の断面図である。図５（ｂ）は、金型内部の断面図である。
【００４８】
図４の下側金型３０ａには、凹形状の下側入れ駒２０ａが陥入されている。下側金型３０ａには溝部３１ａが設けられている。
【００４９】
まず、下側金型３０ａの溝部３１ａに絶縁電線１の露出部５が位置するように、下側入れ駒２０ａの溝部２１ａに複数の絶縁電線１をはめ込む。
【００５０】
次に、図５（ａ）に示すとおり、下側入れ駒２０ａの溝部２１ａにはめ込んだ複数の絶縁電線１を、上側金型３０ｂに陥入された上側入れ駒２０ｂの凸部によって押さえ込む。これにより、この部分の複数の絶縁電線１は密に束ねられた状態になる。上側入れ駒２０ｂの凸部の高さを変えることにより、複数の絶縁電線１の疎密を制御することができる。
【００５１】
図５（ｂ）は、図４の下側金型３０ａに上側金型３０ｂを重ね合わせたときの金型内部の断面図である。下側金型３０ａの溝部３１ａと、上側金型３０ｂの溝部３１ｂにより形成される空間に樹脂を充填する。
【００５２】
樹脂の充填は、溶融状態の樹脂を金型内に射出して行う。その際に、例えば、図４に示すようなランナー３２を介して、矢印方向に樹脂を流し込めば良い。なお、図４には１つのランナーと１つの流動方向を示しているが、金型にランナーを複数個設けて、複数個射出成形物を成型しても何ら問題ない。
【００５３】
このようにして樹脂を充填した後、冷却して、余分な部分を除去することにより射出成形物４が形成され、ワイヤハーネス１０が得られる。
【００５４】
射出圧力は、特に限定されないが０．０５ＭＰａ以上、５０ＭＰａ以下であることが好ましい。射出圧力を５０ＭＰａ以下とすることにより、射出時の絶縁電線１の動きを抑制することができ、絶縁電線１の損傷を抑制し易くすることができる。一方、射出圧力を０．０５ＭＰａ以上とすることにより、樹脂を充填し易くすることができる。なお、樹脂としてバイロショットを用いる場合は、０．１ＭＰａ以上、３０ＭＰａ以下の低い射出圧力で成形することができる。
【００５５】
本願は、２０１６年５月１９日に出願された日本国特許出願第２０１６−１００４２６号に基づく優先権の利益を主張するものである。２０１６年５月１９日に出願された日本国特許出願第２０１６−１００４２６号の明細書の全内容が、本願に参考のため援用される。
【符号の説明】
【００５６】
１      絶縁電線
２      導体
３      絶縁層
４      射出成形物
５      露出部
１０    ワイヤハーネス
２０ａ  下側入れ駒
２０ｂ  上側入れ駒
２１ａ  下側入れ駒の溝部
３０ａ  下側金型  ３０ｂ  上側金型
３１ａ  下側金型の溝部
３１ｂ  上側金型の溝部
３２    ランナー
Ａ      一端部
Ｂ      他端部
Ｃ      １／３位置
【図１】
2017199699.tif 000003
【図２】
2017199699.tif 000004
【図３】
2017199699.tif 000005
【図４】
2017199699.tif 000006
【図５】
2017199699.tif 000007
【国際調査報告】
2017199699.tif 000008
2017199699.tif 000009